(57)【要約】【課題】収納庫をベッドの左側に置く場合、右側に置く場合のいずれであっても、すなわちテーブルの引出し方向が左右のいずれの方向であっても対応することができる、引出し収納自在なテーブルを備えた収納庫を提供する。【解決手段】収納庫１をベッドの右側に置く場合には、前板７５が開口２５側に、閉塞板４３が開口２７側に来るように固定部３５を配置する。この状態ではテーブル部５３は左側板５の開口２５から引出すことができる。収納庫１をベッドの左側に置く場合には、前板７５が開口２７側に、閉塞板４３が開口２５側に来るように固定部３５を配置する。この状態ではテーブル部５３は右側板７の開口２７から引出すことができる。【選択図】        図５
2010158444.tif 000002
【特許請求の範囲】
【請求項１】
本体と、前記本体の内部に設けられた空間部と、前記空間部に連通し、本体の側板に形成された開口と、前記空間部に収納される状態と前記開口から引出される状態とにスライド動作するテーブル部と、前記テーブル部を本体に対し引出し収納自在に支持するテーブル支持手段とを有する収納庫において、
本体の左右の側板には開口がそれぞれ形成されており、前記テーブル部は本体の左右の側板にそれぞれ形成された開口のうち選択した一方側から引出せるように取付けることが可能であることを特徴とする収納庫。
【請求項２】
請求項１に記載した収納庫において、テーブル支持手段はテーブル部に連結され、本体に固定されて空間部に備えられる固定部を有し、前記固定部にはテーブル部が引出される側の開口と反対側の開口を塞ぐ閉塞板を有していることを特徴とする収納庫。
【請求項３】
請求項１または２に記載した収納庫において、テーブル支持手段はテーブル部をスライド自在に支持するスライド金具を有し、前記スライド金具の下面を覆うカバーが設けられていることを特徴とする収納庫。
【請求項４】
請求項１から３のいずれかに記載した収納庫において、テーブル部は互いに重なった状態で収納される複数のテーブル要素によって構成されていることを特徴とする収納庫。
【請求項５】
請求項１から４のいずれかに記載した収納庫において、テーブル部が空間部に収納されるとテーブル部を保持し、且つテーブル部に一定以上の引き出し方向の力を加えるとテーブル部の保持を解除するテーブル保持手段を備えたことを特徴とする収納庫。
【発明の詳細な説明】
【技術分野】
【０００１】
本発明は、収納庫に関し、特に、ベッド等の横に置いて使用する収納庫に関するものである。
【背景技術】
【０００２】
病室に配置されたベッドの脇には、入院患者の日用品等を収納するため収納庫が備えられている。この収納庫には、例えば特許文献１に記載された収納台がある。
一方、入院患者はベッドの上で食事をすることが多く、ベッドの上で食事をする場合には、例えば平板状のテーブルをベッドの手摺りに架け渡して設置し、固定具等を用いて固定する。テーブルを片付けるには固定具による固定を解除し、テーブルをベッドの手摺りから取り外して収納する。このようにベッドで使用するテーブルは手摺りに対していちいち着脱する作業をしなければならず、かなり面倒である。そこで、例えば前述の収納庫に左右いずれかの側板から引出すことが可能なテーブルを備えることも考えられる。
【先行技術文献】
【特許文献】
【０００３】
【特許文献１】特開２００７−１２４０２４号公報
【発明の概要】
【発明が解決しようとする課題】
【０００４】
しかしながら、ベッドは病室の限られたスペースに複数配置されるため、収納庫をベッドの左側に置くか、右側に置くかはまちまちであり、したがってテーブルの引出し方向も左右まちまちとなる。そのため、テーブルの引出し方向が左右いずれかに予め定まっている収納庫では対応できないという問題がある。
【０００５】
本発明は、上記従来の問題点に着目して為されたものであり、収納庫をベッドの左側に置く場合、右側に置く場合のいずれであっても、すなわちテーブルの引出し方向が左右のいずれの方向であっても対応することができる、引出し収納自在なテーブルを備えた収納庫を提供することを目的とする。
【課題を解決するための手段】
【０００６】
本発明は上記課題を解決するためになされたものであり、請求項１の発明は、本体と、前記本体の内部に設けられた空間部と、前記空間部に連通し、本体の側板に形成された開口と、前記空間部に収納される状態と前記開口から引出される状態とにスライド動作するテーブル部と、前記テーブル部を本体に対し引出し収納自在に支持するテーブル支持手段とを有する収納庫において、
本体の左右の側板には開口がそれぞれ形成されており、前記テーブル部は本体の左右の側板にそれぞれ形成された開口のうち選択した一方側から引出せるように取付けることが可能であることを特徴とする収納庫である。
【０００７】
請求項２の発明は、請求項１に記載した収納庫において、テーブル支持手段はテーブル部に連結され、本体に固定されて空間部に備えられる固定部を有し、前記固定部にはテーブル部が引出される側の開口と反対側の開口を塞ぐ閉塞板を有していることを特徴とする収納庫である。
【０００８】
請求項３の発明は、請求項１または２に記載した収納庫において、テーブル支持手段はテーブル部をスライド自在に支持するスライド金具を有し、前記スライド金具の下面を覆うカバーが設けられていることを特徴とする収納庫である。
【０００９】
請求項４の発明は、請求項１から３のいずれかに記載した収納庫において、テーブル部は互いに重なった状態で収納される複数のテーブル要素によって構成されていることを特徴とする収納庫である。
【００１０】
請求項５の発明は、請求項１から４のいずれかに記載した収納庫において、テーブル部が空間部に収納されるとテーブル部を保持し、且つテーブル部に一定以上の引き出し方向の力を加えるとテーブル部の保持を解除するテーブル保持手段を備えたことを特徴とする収納庫である。
【発明の効果】
【００１１】
本発明によれば、引出し収納自在なテーブルを備えた収納庫をベッドの左側に置く場合、右側に置く場合のいずれであっても、すなわちテーブルの引出し方向が左右のいずれの方向であっても対応することが可能となる。
【図面の簡単な説明】
【００１２】
【図１】本発明の実施の形態に係る収納庫の斜視図である。
【図２】図１の収納庫のテーブル部が引出された状態の斜視図である。
【図３】テーブル部が引出された状態における固定部、スライド金具及びテーブル部の裏から見た斜視図である。
【図４】図１の収納庫の一部断面図である。
【図５】図１の収納庫のテーブル部を使用している状態の正面図である。
【図６】テーブル部を反対側の開口から引出せるように取付けた状態の斜視図である。
【発明を実施するための形態】
【００１３】
本発明の実施の形態に係る収納庫１を図１から図６にしたがって説明する。
符号３は本体を示し、この本体３は左側板５、右側板７（図６参照）、天板９、底板１１及び背板（図示せず）によって構成されており、正面は開口している。
符号１３は開閉扉を示し、この開閉扉１３は正面側開口の下から略３分の２を塞ぐように本体３に取り付けられている。開閉扉１３の上側には引出し１５が設けられている。
本体３の左右の両側部には略逆Ｕ字状のフレーム１９、１９がそれぞれ設けられている。各フレーム１９の下端部にはそれぞれキャスター２１が取り付けられている。左右両側のフレーム１９、１９の上端側には載置台２３が渡設されている。
【００１４】
左右の側板５、７には開口２５、２７（図６参照）がそれぞれ形成され、開口２５、２７は本体３の内部に設けられた空間部２９に連通している。開口２５、２７は同じ寸法に形成されており、且つ、互いに対向する位置に設けられている。
図４において符号３１、３１は一対の取付金具を示し、この取付金具３１は金属製平板を直角に曲げた側面視Ｌ字状の部材である。取付金具３１、３１は左右の側面５、７に互いに対向した状態で取付けられている。取付金具３１、３１の一方の平面部は左右の側板５、７の内面に対してそれぞれ当接されネジ止めされて固定されており、他方の平板部は空間部２９内に水平方向に延びて突出している。各突出部分には２つずつネジ挿通穴３３が形成されている。
【００１５】
図３において符号３５は固定部を示し、この固定部３５は底部３７と底部３７の両端部にそれぞれ設けられた一対の側部３９、３９とから成っている。なお図３は裏側から見た斜視図である。底部３７の裏面には４つの雌ネジ部４１が前述したネジ挿通穴３３と対応する位置に形成されている。固定部３５の後端部には矩形の閉塞板４３が設けられている。閉塞板４３の寸法は開口２５、２７の寸法より僅かだけ小さくなっている。
【００１６】
符号４５はスライド金具を示し、このスライド金具４５は固定レール４７と、スライドレール４９と、取付レール５１によって構成されている。固定レール４７は固定部３５の両側部３９、３９の外面にそれぞれ取付けられている。
符号５３はテーブル部を示し、このテーブル部５３は下側テーブル要素５５と上側テーブル要素５６によって構成されている。下側テーブル要素５５は天部５７と、天部５７の両端部にそれぞれ設けられた側部５９とから成っている。側部５９、５９の外面には凸条６１がそれぞれ設けられている。天部５７の先端部にはストッパーネジ６３が取付けられており、このストッパーネジ６３の先端部は天部５７の表面から僅かに突出している。
【００１７】
上側テーブル要素５６は天部６９と、天部６９の両端部にそれぞれ設けられた側部７１とから成っている。両側部７１の内面には溝７３がそれぞれ形成されており、各溝７３には下側テーブル要素５５の凸条６１が摺動自在に差し込まれている。これにより上側テーブル要素５６は下側テーブル要素５５にスライド自在に支持されている。
天部６９の裏面にはストッパー溝７４が形成されており、このストッパー溝７４は天部６９の前端から後端寄りの位置まで延びている。ストッパー溝７４には前述したストッパーネジ６３の先端部が摺動自在に差し込まれている。
【００１８】
上側テーブル要素５６の前端には前板７５が取付けられている。前板７５の寸法は開口２５、２７の寸法より僅かだけ小さくなっている。前板７５の表面には把手７７が取付けられている。
取付レール５１、５１は下側テーブル要素５５の側部５９の内面にそれぞれ取付けられている。各取付レール５１にはスライドレール４９が摺動自在に取付けられている。スライドレール４９は固定レール４７に摺動自在に取付けられている。したがってテーブル部５３は固定部３５に対しスライド自在に支持されている。
取付金具３１、固定部３５、スライド金具４５、凸条６１及び溝７３によってテーブル支持手段が構成されている。
【００１９】
固定部３５の前端部には一対の開閉アームを有するキャッチャー８１が取付けられている。このキャッチャー８１の開閉アームは閉じる方向に付勢されている。また前板７５の内面には係脱部８３がキャッチャー８１と対応する位置に取り付けられている。キャッチャー８１により係脱部８３が係止保持される。キャッチャー８１の開閉アームは、係脱部８３が一定以上の力で押し入ろうとしたり反対に押し出ようとした場合に開くようになっている。これらの方向はテーブル部５３の収納・引出し方向に合致している。
このキャッチャー８１と係脱部８３とによってテーブル保持手段が構成されている。
下側テーブル要素５５の側部５９の下面には平板状のカバー８５が取付けられている。カバー８５の一部は空間部２９側へ延出しており、その延長部分によって取付レール５１の下面が下側から覆われている。
【００２０】
次にテーブル部５３の取付方法について説明する。
収納庫１をベッドの右側に置く場合には、図４（ａ）に示すように前板７５が開口２５側に、閉塞板４３が開口２７側に来るように固定部３５を配置する。そして固定部３５を取付金具３１にネジ８７で固定する。この状態ではテーブル部５３は空間部２９に収納される状態と左側板５の開口２５から引出される状態とにスライド動作自在になっている。
前述したように閉塞板４３の寸法は開口２７の寸法より僅かに小さい寸法となっているため、固定部３５が上記のように固定されると、閉塞板４３は開口２７を塞ぐ状態となる。また、前板７５の寸法は開口２５の寸法より僅かに小さい寸法となっているため、収納の際には前板７５は開口２５を塞ぐ状態となる（図１参照）。
【００２１】
次いで収納庫１の使用方法を説明する。
図５において把手７７を持って一定以上の力で左方向へ引くと、テーブル部５３に取り付けられた係脱部８３がキャッチャー８１から外れる。さらにそのまま左方向へ引くと、固定部３５に取付けられている固定レール４７に対しスライドレール４９が左方向へ摺動し、取付レール５１がスライドレール４９に対し左方向へ摺動して、下側テーブル要素５５が上側テーブル要素５６と共に開口２５から左方向へ引出される。
【００２２】
スライドレール４９と取付レール５１が摺動範囲の終端までくると図示しないストッパーによってそれ以上摺動しないように規制される。すると溝７３が凸条６１に対して左方向へ摺動して、上側テーブル要素５６が下側テーブル要素５５に対し突出する方向へ、すなわち左方向へ引き出される。次いでストッパーネジ６３がストッパー溝７４の終端面に当接して、上側テーブル要素５６がそれ以上突出しないように規制される。これにより、テーブル部５３は本体３の左側板５から水平に引出される。その際、テーブル部５３は、上側テーブル要素５６と下側テーブル要素５５とは引出し展開姿勢になっている。
このようにして引出されたテーブル部５３に食器Ｓを載せて、患者はベッド上で起き上がった姿勢で食事をとったりすることができる。
【００２３】
食事などの用事が終わり、テーブル部５３を本体３へ収納する場合には、把手７７を持ってテーブル部５３を押し込む。すると取付レール５１がスライドレール４９に対し右方向へ摺動し、スライドレール４９が固定レール４７に対し右方向へ摺動して、下側テーブル要素５５が本体３へ収納される。次いで上側テーブル要素５６の溝７３が凸条６１に対して右方向へ摺動して、上側テーブル要素５６が本体３の空間部２９へ入り込む。そして上側テーブル要素５６は下側テーブル要素５５と重なった状態で本体３に収納される。
【００２４】
このように把手７７を持って引いたり押したりするだけで、極めて簡単にテーブル部５３の引出し収納を行うことができる。
また、カバー８５がスライド金具４５の下面を覆っているため、下側テーブル要素５５が本体３から引出されているときに、そこに取り付けられているスライド金具４５に塗られている潤滑油が落下しても、カバー８５によって受け止められる。従って、落下した潤滑油が布団等に付くのを防止することができる。
【００２５】
また、収納庫１をベッドの左側に置く場合には、図４（ｂ）に示すように前板７５が開口２７側に、閉塞板４３が開口２５側に来るように固定部３５を配置する。そして図５にしたがって説明した場合と同様に、把手７７を持って引いたり押したりしてテーブル部５３の引出し収納を行う。テーブル部５３を引出す場合にはテーブル部５３は右方向へスライド動作して、テーブル部５３を収納する場合にはテーブル部５３は左方向へスライド動作する。
即ちテーブル部５３は本体３の左側板５と右側板７とにそれぞれ形成された開口２５と開口２７のうち選択した一方側から引出せるように取付けることが可能である。
また、開口２５、２７のうち引出しに使わない方の開口は閉塞板４３により閉塞されているので見た目もよい。
【００２６】
以上、本発明の実施の形態について詳述してきたが、具体的構成は、この実施の形態に限られるものではなく、本発明の要旨を逸脱しない範囲における設計の変更などがあっても発明に含まれる。
上記実施の形態は、スライド金具４５を３つのレールで構成したが、スライド金具を構成するレールの数は２つ又は４つ以上で構成してもよい。
上記実施の形態は、テーブル部５３を２つのテーブル要素で構成したが、１つ又は３つ以上で構成してもよい。
【産業上の利用可能性】
【００２７】
本発明の収納庫は、家具の製造業において利用することが可能である。
【符号の説明】
【００２８】
１  …  収納庫                      ３  …  本体
５  …  左側板                      ７  …  右側板
９  …  天板                        １１  …  底板
２５、２７  …  開口                ２９  …  空間部
３１  …  取付金具                  ３３  …  ネジ挿通穴
３５  …  固定部                    ４１  …  雌ネジ部
４３  …  閉塞板
４５  …  スライド金具              ４７  …  固定レール
４９  …  スライドレール            ５１  …  取付レール
５３  …  テーブル部                ５５  …  下側テーブル要素
５６  …  上側テーブル要素          ６１  …  凸条
６３  …  ストッパーネジ
７３  …  溝                        ７４  …  ストッパー溝
７５  …  前板                      ７７  …  把手
８１  …  キャッチャー              ８３  …  係脱部
８５  …  カバー                    ８７  …  ネジ
Ｓ  …  食器
【図１】
2010158444.tif 000003
【図２】
2010158444.tif 000004
【図３】
2010158444.tif 000005
【図４】
2010158444.tif 000006
【図５】
2010158444.tif 000007
【図６】
2010158444.tif 000008